(57)【要約】【課題】容易かつ簡単に組み立てることができる容器収納装置を提供する。【解決手段】容器収納装置１０は、一対の把持板１１ａ，１１ｂと、一対の傾斜板１２ａ，１２ｂと、底板１５とを備える。各傾斜板１２ａ，１２ｂに、容器１を収納する収納開口２０が設けられ、収納開口２０に容器１が取り出し自在に挿入される。【選択図】図１
2019137434.tif 000002
【特許請求の範囲】
【請求項１】
互いに当接可能な一対の把持板と、
各把持板に連なる傾斜板と、
各傾斜板に連結された底板とを備え、
各傾斜板に容器を収納する収納開口が設けられ、
各収納開口内に容器が収納可能となるとともに、前記収納開口内の容器は前記底板上に支持される、容器収納装置。
【請求項２】
各傾斜板と前記底板との間に、横方向に延びる連結板を設けた、請求項１に記載の容器収納装置。
【請求項３】
一方の傾斜板の収納開口の数と、他方の傾斜板の収納開口の数は一致している、請求項１または２に記載の容器収納装置。
【請求項４】
一方の傾斜板の収納開口と、他方の傾斜板の収納開口は互いに対向する位置に設けられる、請求項１乃至３のいずれか一項に記載の容器収納装置。
【請求項５】
前記底板の側方の両端部に、前記一対の把持板まで延びて前記一対の傾斜板間の空間を覆う一対の端板を設けた、請求項１乃至４のいずれか一項に記載の容器収納装置。
【請求項６】
前記一対の把持板に、各々把持開口を設けた、請求項１乃至５のいずれか一項に記載の容器収納装置。
【請求項７】
各収納開口の形状は、前記容器の外形形状より大きくなって、前記容器は前記容器収納装置の外方から前記収納開口内へ挿入可能となり、かつ前記収納開口から外方へ取出可能となる、請求項１乃至６のいずれか一項に記載の容器収納装置。
【発明の詳細な説明】
【技術分野】
【０００１】
本発明は飲料容器等を収納する容器収納装置に関する。
【背景技術】
【０００２】
従来より飲料容器等を収納する容器収納装置として、複数の開口を有するブランク材からなり、ブランク材の両端部に組立用係止装置が設けられたものが知られている（例えば文献１参照）。
【０００３】
このような容器収納装置を作製する場合、まず複数の容器が準備され、各容器の口部がブランク材の開口内に挿入される。次にブランク材を折り曲げて、容器を覆うとともに、ブランク材の両端部の組立用係止装置を互いに係止する。このようにして容器収納装置が得られる。
【先行技術文献】
【特許文献】
【０００４】
【特許文献１】特表平９−５０５７９１号公報
【発明の概要】
【発明が解決しようとする課題】
【０００５】
上述のように従来の容器収納装置を作製する場合、まず複数の容器を準備しておき、各容器の口部をブランク材の開口内に挿入し、ブランク材を折り曲げ、ブランク材の両端部の組立用係止装置を互いに係止している。
【０００６】
しかしながら、容器収納装置の組み立てにあたり、ブランク材の開口に容器の口部を挿入し、ブランク材を折り曲げてブランク材の両端部の組立用係止装置を係止して容器収納装置を組み立てる作業は煩雑となっている。
【０００７】
またこのような容器収納装置において、容器収納装置を破らない限り容器を外方へ取り出すことはできず、また容器収納装置内に外方から容器を挿入することはできない。
【０００８】
本発明はこのような点を考慮してなされたものであり、容易かつ簡単に組み立てることができる容器収納装置を提供することを目的とする。
【課題を解決するための手段】
【０００９】
本発明は、互いに当接可能な一対の把持板と、各把持板に連なる傾斜板と、各傾斜板に連結された底板とを備え、各傾斜板に容器を収納する収納開口が設けられ、各収納開口内に容器が収納可能となるとともに、前記収納開口内の容器は前記底板上に支持される、容器収納装置である。
【００１０】
本発明は、各傾斜板と前記底板との間に、横方向に延びる連結板を設けた、容器収納装置である。
【００１１】
本発明は、一方の傾斜板の収納開口の数と、他方の傾斜板の収納開口の数は一致している、容器収納装置である。
【００１２】
本発明は、一方の傾斜板の収納開口と、他方の傾斜板の収納開口は互いに対向する位置に設けられる、容器収納装置である。
【００１３】
本発明は、前記床板の側方の両端部に、前記一対の把持板まで延びて前記一対の傾斜板間の空間を覆う一対の端板を設けた、容器収納装置である。
【００１４】
本発明は、前記一対の把持板に、各々把持開口を設けた、容器収納装置である。
【００１５】
本発明は、各収納開口の形状は、前記容器の外形形状より大きくなって、前記容器は前記容器収納装置の外方から前記収納開口内へ挿入可能となり、かつ前記収納開口から外方へ取出可能となる、容器収納装置である。
【発明の効果】
【００１６】
以上のように本発明によれば、容易かつ簡単に容器収納装置を組み立てることができる。
【図面の簡単な説明】
【００１７】
【図１】図１は第１の実施の形態による容器が収納された容器収納装置を示す斜視図。
【図２】図２は第１の実施の形態による容器が収納された容器収納装置を把持した状態を示す斜視図。
【図３】図３は本発明による容器収納装置を示す斜視図。
【図４】図４は本発明による容器収納装置を示す図３と異なる角度からみた斜視図。
【図５】図５は本発明による容器収納装置を示す図３および図４と異なる角度からみた斜視図。
【図６】図６は容器収納装置を折り畳んだ状態を示す図。
【図７】図７は容器収納装置のブランク材を示す平面図。
【図８】図８は第２の実施の形態による容器が収納された容器収納装置を示す斜視図。
【図９】図９は第２の実施の形態による容器が収納された容器収納装置を示す図８と異なる角度からみた斜視図。
【図１０】図１０は容器収納装置のブランク材を示す平面図。
【発明を実施するための形態】
【００１８】
＜第１の実施の形態＞
以下、図面を参照して本発明の第１の実施の形態について説明する。  
図１乃至図７は容器収納装置の第１の実施の形態を示す図である。
【００１９】
まず図１乃至図６により容器収納装置の概略を説明する。図１乃至図６に示すように、容器収納装置１０は、複数、例えば６本のビール缶等の円筒状飲料容器（容器ともいう）１を収納するものである。
【００２０】
このような容器収納装置１０は、互いに当接可能な一対の把持板１１ａ，１１ｂと、各把持板１１ａ，１１ｂに連なる傾斜板１２ａ，１２ｂと、各傾斜板１２ａ，１２ｂに連結された底板１５とを備えている。
【００２１】
このうち、傾斜板１２ａ，１２ｂは、上方から下方へ向かって外方へ拡がるように傾斜しており、各傾斜板１２ａ，１２ｂには各々３個ずつ、合計６個の収納開口２０が形成されている。
【００２２】
また各収納開口２０内には容器１が収納可能となっており、各収納開口２０内の容器１は底板１５上に支持される。
【００２３】
各傾斜板１２ａ，１２ｂと底板１５との間には横方向（図１のＨ方向）に延びる一対の連結板１３ａ，１３ｂが設けられているが、この連結板１３ａ，１３ｂは必ずしも設けなくてもよい。
【００２４】
ここで「上方」および「下方」とは、図１に示す向きに容器収納装置１０を配置した場合における「上方」および「下方」を意味する。図１に上下方向Ｖが示されている。
【００２５】
上述のように、一対の傾斜板１２ａ，１２ｂには各々３個ずつ、合計６個の収納開口２０が設けられており、各傾斜板１２ａ，１２ｂに設けられた収納開口２０の数は３個ずつと同数となっており、かつ一方の傾斜板１２ａに設けられた各収納開口２０の配置位置は、他方の傾斜板１２ｂに設けられた各収納開口２０の配置位置に対向している。このため容器収納装置１０内にビール缶等の容器１を収納した際、容器収納装置１０内に容器１をバランス良く収納することができる。
【００２６】
また一対の把持板１１ａ，１１ｂには、各々破断線２５ｂにより囲まれた一対の把持片２５ａが形成され、一対の把持片２５ａをまとめて一対の把持板１１ａ，１１ｂの一側（例えば図１の手前側）へ押出すことにより、一対の把持板１１ａ，１１ｂに把持開口２５を形成することができる。なお、一対の把持板１１ａ、１１ｂに必ずしも把持開口２５を設ける必要はなく、一対の把持板１１ａ、１１ｂに、開口をもった別体の把持装置を連結してもよい。
【００２７】
ところで、容器収納装置１０の各傾斜板１２ａ，１２ｂに設けた６個の収納開口２０は、いずれも傾斜板１２ａ，１２ｂに対して上方から下方に向かう長軸をもつ、だ円形状に形成されている。
【００２８】
他方、組み立て後の容器収納装置１０において、各収納開口２０は上方からみて円筒状容器１の外径Ｄ１（図２参照）より大きな内径Ｄ２（図３参照）をもつ略円形状を有する。
【００２９】
このため組み立て後の容器収納装置１０の収納開口２０内に、容易かつ簡単に外方から容器１を挿入して収納することができる。この場合、収納開口２０内に収納された容器１は、底板１５により支持されるとともに、容器１の上半分が収納開口２０から外方へ露出する。また、容器１を支持する底板１５はわずかに撓むが、このことにより、容器１は互いに内側に傾き、容器１を容器収納装置１０内で安定して収納することができる。
【００３０】
また、容器収納装置１０の収納開口２０内に収納された容器１を外方から容易に取出すことが可能となる。
【００３１】
また図１乃至図７に示すように、一対の傾斜板１２ａ，１２ｂには、文字又は図形等の表示２が付けられており、この表示２は容器１の宣伝機能を有する。この文字又は図形等の表示２は、一対の傾斜板１２ａ、１２ｂの全面に配置されていてもよく、一対の傾斜板１２ａ、１２ｂの一部に配置されていても良い。
【００３２】
次にこのような構成からなる容器収納装置１０の組み立て方法について説明する。  
まず図７に示すような細長状に延びる矩形状の容器収納装置組み立て用ブランク材１０Ａを準備する。ブランク材１０Ａは一枚の紙製基材からなることが好ましく、一枚の紙製基材を用いることにより、糊の塗布量を抑えることができる。
【００３３】
このブランク材１０Ａには、予め長手方向Ｌと直交する方向に折罫３１，３２，３３，３４が形成されている。そして折罫３１により把持板１１ａ，１１ｂと傾斜板１２ａ，１２ｂが区画され、折罫３２により傾斜板１２ａ，１２ｂと連結板１３ａ，１３ｂが区画され、折罫３３により連結板１３ａ，１３ｂと底板１５とが区画されている。また底板１５の中央部には折罫３４が形成されている。
【００３４】
また図７に示すブランク材１０Ａには、把持板１１ａ，１１ｂに、破断線２５ｂ，２５ｂにより囲まれた把持片２５ａ，２５ａが形成され、傾斜板１２ａ，１２ｂに長手方向Ｌに沿う長軸と長手方向Ｌに直交する短軸とを有するだ円形状に形成された合計６個の収納開口２０が形成されている。
【００３５】
ブランク材１０Ａの組み立てにあたっては、まずブランク材１０Ａを折罫３４に沿って２つ折りにする（図６参照）。次にブランク材１０Ａの一対の把持板１１ａ，１１ｂ同士を貼り合わせる。一対の把持板１１ａ、１１ｂ同士は両面テープあるいは接着剤を用いて貼り合わせられる。
【００３６】
次に底板１５を拡げるとともに、底板１５に対して折罫３３，３３を介して連結板１３ａ，１３ｂを折り曲げて立設する。同時に連結板１３ａ，１３ｂに対して折罫３２，３２を介して傾斜板１２ａ，１２ｂを折り曲げる。
【００３７】
このようにしてブランク材１０Ａを折り曲げて、容器収納装置１０を組み立てることができる。
【００３８】
以上のように本実施の形態によれば、図７に示すブランク材１０Ａの一対の把持板１１ａ，１１ｂ同士を貼り合わせ、折罫３１，３２，３３，３４に沿ってブランク材を折り曲げるだけで容易かつ簡単に容器収納装置１０を組み立てることができる。またこのように組み立てられた容器収納装置１０の収納開口２０内に外方から容器１を容易に挿入して収納したり、収納開口２０内の容器１を外方へ容易に取り出すことができる。
【００３９】
なお、上記実施の形態において、各傾斜板１２ａ，１２ｂに３個ずつ、合計６個の収納開口２０を設け、収納開口２０内に６本のビール缶１を収納する例を示したが、これに限らず各傾斜板１２ａ，１２ｂに２個ずつ、合計４個の収納開口２０を設け、収納開口２０内に４本のビール缶１を収納してもよく、収納開口２０の数に制限はない。また、容器１としては、ビール缶１以外に、飲料用瓶やシャンプー容器を用いてもよい。
【００４０】
＜第２の実施の形態＞
次に図８乃至図１０により本発明の第２の実施の形態について説明する。  
図８乃至図１０に示す第２の実施の形態は、底板１５の両端部に、一対の把持板１１ａ，１１ｂまで延びて一対の傾斜板１２ａ，１２ｂ間および一対の連結板１３ａ，１３ｂ間の空間を覆う一対の端板１８，１８を設けた点が異なるのみであり、他の構成は図１乃至図７に示す第１の実施の形態と略同一である。
【００４１】
図８乃至図１０に示す第２の実施の形態において、図１乃至図７に示す第１の実施の形態と同一部分には同一符号を付して詳細な説明は省略する。
【００４２】
このような容器収納装置１０は、互いに当接可能な一対の把持板１１ａ，１１ｂと、各把持板１１ａ，１１ｂに連なる傾斜板１２ａ，１２ｂと、各傾斜板１２ａ，１２ｂに連結された底板１５とを備えている。
【００４３】
このうち、傾斜板１２ａ，１２ｂは、上方から下方へ向かって外方へ拡がるように傾斜しており、各傾斜板１２ａ，１２ｂには各々３個ずつ、合計６個の収納開口２０が形成されている。
【００４４】
また各収納開口２０内には容器１が収納可能となっており、各収納開口２０内の容器１は底板１５上に支持される。
【００４５】
各傾斜板１２ａ，１２ｂと底板１５との間には横方向に延びる一対の連結板１３ａ，１３ｂが設けられている。
【００４６】
また一対の把持板１１ａ，１１ｂには、各々破断線２５ｂにより囲まれた一対の把持片２５ａが形成され、一対の把持片２５ａをまとめて一対の把持板１１ａ，１１ｂの一側（例えば図１の手前側）へ押出すことにより、一対の把持板１１ａ，１１ｂに把持開口２５を形成することができる。
【００４７】
また、底板１５の側方の両端部、すなわち細長状に延びるブランク材１０Ａの長手方向Ｌと直交する方向（一対の把持板１１ａ，１１ｂが延びる方向）の両端部に、一対の把持板１１ａ，１１ｂまで延びて一対の傾斜板１２ａ，１２ｂ間および一対の連結板１３ａ，１３ｂ間の空間を覆う一対の端板１８，１８が設けられている。この一対の端板１８，１８には、文字又は図形等の表示を設けてもよく、この表示を一対の端板１８，１８の全面または一部に設けてもよい。
【００４８】
また一対の把持板１１ａ，１１ｂの両端部には、係合突起１９，１９が設けられ、一対の把持板１１ａ，１１ｂの係合突起１９，１９は対応する端板１８，１８の係止溝１８ａ，１８ａ内に挿入され、このようにして、一対の端板１８，１８が把持板１１ａ，１１ｂに係止される。
【００４９】
次にこのような構成からなる容器収納装置１０の組み立て方法について説明する。  
まず図１０に示すような細長状に延びる矩形状の容器収納装置組み立て用ブランク材１０Ａを準備する。
【００５０】
このブランク材１０Ａには、予め長手方向Ｌと直交する折罫３１，３２，３３，３４が形成されている。そして折罫３１により把持板１１ａ，１１ｂと傾斜板１２ａ，１２ｂが区画され、折罫３２により傾斜板１２ａ，１２ｂと連結板１３ａ，１３ｂが区画され、折罫３３により連結板１３ａ，１３ｂと底板１５とが区画されている。また底板１５の中央部には折罫３４が形成されている。
【００５１】
また、底板１５の側方の両端部、すなわち細長状に延びるブランク材１０Ａの長手方向Ｌと直交する方向（一対の把持板１１ａ，１１ｂが延びる方向）の両端部に、一対の把持板１１ａ，１１ｂまで延びて一対の傾斜板１２ａ，１２ｂ間および一対の連結板１３ａ，１３ｂ間の空間を覆う一対の端板１８，１８が設けられている。
【００５２】
また一対の把持板１１ａ，１１ｂの両端部には、係合突起１９，１９が設けられ、一対の把持板１１ａ，１１ｂの係合突起１９，１９は対応する端板１８，１８の係止溝１８ａ，１８ａ内に挿入されるようになっている。
【００５３】
また図１０に示すブランク材１０Ａには、把持板１１ａ，１１ｂに、破断線２５ｂ，２５ｂにより囲まれた把持片２５ａ，２５ａが形成され、傾斜板１２ａ，１２ｂに長手方向Ｌに沿う長軸と長手方向Ｌに直交する短軸とを有するだ円形状に形成された合計６個の収納開口２０が形成されている。
【００５４】
ブランク材１０Ａの組み立てにあたっては、まずブランク材１０Ａを折罫３４に沿って２つ折りにする。次にブランク材１０Ａの一対の把持板１１ａ，１１ｂ同士を貼り合わせる。一対の把持板１１ａ、１１ｂ同士は両面テープあるいは接着剤を用いて貼り合わせられる。
【００５５】
次に底板１５を拡げるとともに、底板１５に対して折罫３３，３３を介して連結板１３ａ，１３ｂを折り曲げて立設する。同時に連結板１３ａ，１３ｂに対して折罫３２，３２を介して傾斜板１２ａ，１２ｂを折り曲げる。
【００５６】
次に底板１５の両端部に設けられた一対の端板１８，１８を底板１５に対して折り曲げて立設し、一対の把持板１１ａ，１１ｂの係合突起１９，１９を対応する端板１８，１８の係止溝１８ａ，１８ａに挿入して係合する。
【００５７】
このようにしてブランク材１０Ａを折り曲げて、容器収納装置１０を組み立てることができる。
【００５８】
以上のように本実施の形態によれば、底板１５の側方の両端部に一対の把持板１１ａ、１１ｂまで延びる一対の端板１８，１８を設け、把持板１１ａ、１１ｂの係合突起１９，１９を端板１８，１８の係止溝１８ａ、１８ａに係合させるため、端板１８，１８により容器収納装置１０をより強固に構成することができる。
【符号の説明】
【００５９】
１  容器
２  表示
１０  容器収納装置
１１ａ，１１ｂ  把持板
１２ａ，１２ｂ  傾斜板
１３ａ，１３ｂ  連結板
１５  底板
１８  端板
１８ａ  係止溝
１９  係合突起
２０  収納開口
２５  把持開口
２５ａ  把持片
２５ｂ  破断線
３１，３２，３３，３４  折罫
【図１】
2019137434.tif 000003
【図２】
2019137434.tif 000004
【図３】
2019137434.tif 000005
【図４】
2019137434.tif 000006
【図５】
2019137434.tif 000007
【図６】
2019137434.tif 000008
【図７】
2019137434.tif 000009
【図８】
2019137434.tif 000010
【図９】
2019137434.tif 000011
【図１０】
2019137434.tif 000012